(57)【特許請求の範囲】
【請求項１】
水が収容されるタンクを備えるケース部；
前記ケース部の上端に位置し、その上面に水容器が装着されるトップカバー部；
前記トップカバー部の下端に装着され、水容器に収容された水を前記ケース部の内部に案内する通路が形成され、前記通路に連通するガイド空間を備えるウォーターガード部；
前記ガイド空間に収容され、前記通路を選択的に密閉するパッキング部；及び
前記パッキング部の下端を上方に支持し、中空のチャンバーを備えるフローティングボディー部；を含み、
前記パッキング部は前記フローティングボディー部の中央上面に位置し、前記フローティングボディー部が浮力によって上昇する場合は前記パッキング部が上昇して前記通路を密閉し、前記フローティングボディー部が下降する場合は前記パッキング部が下降して前記通路を開放し、
前記フローティングボディー部は、外観の上側を形成するカバーと、外観の下側を形成する胴体とを含み、
前記胴体の外側面のまわりに前記チャンバーが位置することを特徴とする、冷温水器。
【請求項２】
前記ウォーターガード部は、
水容器の入口に嵌合され、前記通路に水が流入する貫通孔が形成されたウォーターガードと、
前記ウォーターガードの下端に位置し、前記パッキング部が上下に運動することができる程度の断面積を持つ前記ガイド空間を収容するウォーターガードクランプとを含むことを特徴とする、請求項１に記載の冷温水器。
【請求項３】
前記チャンバーは全体的に環状をなすように配置されることを特徴とする、請求項１に記載の冷温水器。
【請求項４】
前記チャンバーには前記胴体の放射状に伸びるリブが形成されることを特徴とする、請求項１に記載の冷温水器。
【請求項５】
前記リブは前記チャンバーを複数に分割してそれぞれを密閉することを特徴とする、請求項４に記載の冷温水器。
【請求項６】
前記胴体は、前記ウォーターガードクランプに収容されて前記胴体の上下運動をガイドするコアと、前記コアから放射状に伸びる連結部材とを含み、
前記チャンバーは前記連結部材に連結されることを特徴とする、請求項２に記載の冷温水器。
【請求項７】
前記パッキング部はその内部に一定重量を持つ金属材でなるシャフトを含むことを特徴とする、請求項１に記載の冷温水器。
【請求項８】
前記水容器は、水が排出されれば外形がしわくちゃになって内部容積が減少する胴部を含むことを特徴とする、請求項１に記載の冷温水器。
【請求項９】
前記トップカバー部に形成された連通孔を選択的に密閉するフローティング部をさらに含み、
前記フローティング部は内部が中空になり、浮力によって上下に運動することができ、
前記フローティング部の最下端が位置する高さは前記フローティングボディー部の移動可能な高さより高いことを特徴とする、請求項１に記載の冷温水器。
【請求項１０】
前記トップカバー部は前記連通孔から下方に伸びるガイド部材を備え、
前記フローティング部は前記ガイド部材の内側に収容され、上下運動が案内されることを特徴とする、請求項９に記載の冷温水器。
【発明の詳細な説明】
【技術分野】
【０００１】
本発明は冷温水器に係り、より詳しくは体積がコンパクトな冷温水器に関する。
【背景技術】
【０００２】
近年、急激な産業発達によって環境汚染がひどくなっている実情であり、この中でも水質汚染は深刻な水準に到逹し、家庭または役所などの大多数の所では水を浄水処理して飲み水として飲用している実情である。
【０００３】
水を浄水処理する装置として、浄水器あるいは生水を使う冷温水器が主に使われている。冷温水器は広義で水を加熱するか冷却させて温水または冷水として供給する装置を意味し、狭義では生水容器に貯蔵された水を受けて水を加熱するか冷却させて温水または冷水として供給する装置を意味する。
【０００４】
このような冷温水器は、冷水及び温水をそれぞれ分離して貯蔵するように冷水タンク及び温水タンクをそれぞれ別に備え、冷水タンクには水を冷却させるための冷却装置を備え、温水タンクには水を加熱させるための加熱装置を備えている。冷水タンクと温水タンクは別途の連結管を介して互いに連結され、冷水タンクの内部空間に供給された水は連結管を通じて温水タンクに供給される。
【０００５】
バッグタイプ（ｂａｇ−ｔｙｐｅ）冷温水器は、水容器の内部の水が排出されても水容器の内部に空気が流入しないため水容器の容積が減少する。一方、ボトルタイプ（ｂｏｔｔｌｅ−ｔｙｐｅ）冷温水器は、水容器の内部の水が排出される場合、水容器の内部に空気が流入する方式である。バッグタイプ冷温水器は、水容器の内部に空気が流入しないため、水容器に収容された水に衛生的な問題が発生せず、よってボトルタイプを取り替えることができる良い方案として脚光を浴びている。
【０００６】
しかし、空気圧の平衡によって水位が自動に調節されるボトルタイプとは異なり、バッグタイプ冷温水器は、水の荷重によって水が流入する原理であるため、ボールトップ（ｂａｌｌ−ｔｏｐ）のような止水装置をさらに設置しなければならない不便さがある。
【０００７】
このようにボールトップを設置する場合には、内部に関連の連結部品を付け加えなければならないため、冷温水器製品の全高が高くなり、設置の際に製品による空間制約が増加するという問題がある。
【発明の概要】
【発明が解決しようとする課題】
【０００８】
したがって、本発明は冷温水器の全体積を減らして冷温水器の設置空間に対する制約を減らすことができる冷温水器を提供することである。
【０００９】
また、本発明の他の目的は、バッグタイプ冷温水器においてタンクの内部で水位調節ができるようにして製品の高さを増大する必要がない冷温水器を提供することである。
【００１０】
また、本発明のさらに他の目的は、冷温水器の水位調節装置をより安定に具現することができる冷温水器を提供することである。
【課題を解決するための手段】
【００１１】
前記目的を達成するために、本発明は、水が収容されるタンクを備えるケース部；前記ケース部の上端に位置し、その上面に水容器が装着されるトップカバー部；前記トップカバー部の下端に装着され、水容器に収容された水を前記ケース部の内部に案内する通路が形成され、前記通路に連通するガイド空間を備えるウォーターガード部；前記ガイド空間に収容され、前記通路を選択的に密閉するパッキング部；及び前記パッキング部の下端を上方に支持し、中空のチャンバーを備えるフローティングボディー部；を含み、前記パッキング部は前記フローティングボディー部の中央上面に位置し、前記フローティングボディー部が浮力によって上昇する場合は前記パッキング部が上昇して前記通路を密閉し、前記フローティングボディー部が下降する場合は前記パッキング部が下降して前記通路を開放することを特徴とする冷温水器を提供する。
【００１２】
前記ウォーターガード部は、水容器の入口に嵌合され、前記通路に水が流入する貫通孔が形成されたウォーターガードと、前記ウォーターガードの下端に位置し、前記パッキング部が上下に運動することができる程度の断面積を持つ前記ガイド空間を収容するウォーターガードクランプとを含むことができる。
【００１３】
前記フローティングボディー部は、外観の上側を形成するカバーと、外観の下側を形成する胴体とを含み、前記胴体の外側面のまわりに前記チャンバーが位置することができる。
【００１４】
前記チャンバーは全体的に環状をなすように配置されることができ、前記チャンバーには前記胴体の放射状に伸びるリブが形成されることができる。
【００１５】
前記リブは前記チャンバーを複数に分割してそれぞれを密閉することができる。
【００１６】
前記胴体は、前記ウォーターガードクランプに収容されて前記胴体の上下運動をガイドするコアと、前記コアから放射状に伸びる連結部材とを含み、前記チャンバーは前記連結部材に連結されることができる。
【００１７】
前記パッキング部はその内部に一定重量を持つ金属材でなるシャフトを含むことができる。
【００１８】
前記水容器は、水が排出されれば外形がしわくちゃになって内部容積が減少する胴部を含むことができる。
【００１９】
前記冷温水器は、前記トップカバー部に形成された連通孔を選択的に密閉するフローティング部をさらに含み、前記フローティング部は内部が中空になり、浮力によって上下に運動することができ、前記フローティング部の最下端が位置する高さは前記フローティングボディー部の移動可能な高さより高いことができる。
【００２０】
前記トップカバー部は前記連通孔から下方に伸びるガイド部材を備え、前記フローティング部は前記ガイド部材の内側に収容され、上下運動が案内されることができる。
【発明の効果】
【００２１】
本発明によれば、従来技術に比べ、冷温水器の体積を増大しなくても冷温水器のタンク内の水位を調節することができる。したがって、本発明による冷温水器は体積が小さいので、冷温水器の設置による空間的制約が小さい。
【００２２】
また、本発明はタンク内の水位を調節するために二重の安全装置を用いるので、より安定に水位を調節することができる。
【図面の簡単な説明】
【００２３】
【図１】本発明の断面図である。
【図２】本発明の要部の分解斜視図である。
【図３】フローティングボディー部の胴体の他の実施例を示す図である。
【図４】タンク内の水が低水位である場合を示す断面図である。
【図５】タンク内の水が中水位である場合を示す断面図である。
【図６】タンク内の水が高水位である場合を示す断面図である。
【発明を実施するための形態】
【００２４】
以下、前記の目的を具体的に実現することができる本発明の好適な実施例を添付図面に基づいて説明する。
【００２５】
図１は本発明の断面図である。以下、図１を参照して説明する。
【００２６】
本発明による冷温水器は、水が収容された水容器１０、及び前記水容器１０に収容された水が移動して貯蔵されるタンク９０、１００を備えるケース部２０を含む。前記水容器１０は前記ケース部２０の上面に装着され、前記水容器１０に収容された水は前記ケース部２０の内側に流入する。
【００２７】
前記ケース部２０には、水容器１０に収容された水が移動して冷却された状態を維持する冷水タンク１００と加熱された状態を維持する温水タンク９０が内蔵される。
【００２８】
前記ケース部２０は、前記冷水タンク１００に連結されて冷水を使用者に供給することができる冷水取水コック９２と前記温水タンク９０に連結されて温水を使用者に供給することができる温水取水コック１０２とを含むことができる。前記冷水取水コック９２は前記冷水タンク１００に連結され、前記温水取水コック１０２は前記温水タンク９０に個別の連結管で連結される。図１においては、前記冷水取水コック９２と前記温水取水コック１０２が互いに反対側に位置しているが、使用者の便宜によって前記ケース部２０の同一側に位置することも可能である。このような程度の構造変更は当業者が本発明の記載内容に基づいて容易に引き出すことができる。
【００２９】
前記冷水タンク１００と前記温水タンク９０は上下に配置され、前記温水タンク９０は前記冷水タンク１００の下側に位置する。前記冷水タンク１００の周りにはタンクに収容された水を冷却させる冷却装置が備えられ、前記温水タンク９０の周りにはタンクに収容された水を加熱する加熱装置が備えられることで、タンクに収容された水の温度をそれぞれ維持することができる。
【００３０】
本発明は、前記ケース部２０の上端に位置するトップカバー部３０、前記トップカバー部３０の下端に装着されるウォーターガード部４０、前記ウォーターガード部４０の下端に位置するフローティングボディー部７０、及び前記ウォーターガード部４０と前記フローティングボディー部７０の間に位置するパッキング部６０を含む。
【００３１】
前記トップカバー部３０は、その上面に水容器１０が装着され、前記水容器１０の下端を上向きに支持する。前記トップカバー部３０の中央に前記水容器１０の入口が収容され、前記水容器１０の入口を通じて水が下方に排出できる。前記トップカバー部３０は前記ケース部２０の上面をなし、所定の深みで前記ケース部２０に収容される。
【００３２】
前記ウォーターガード部４０は前記水容器１０に収容された水を前記ケース部２０の内部に案内する通路４７を備える。前記ウォーターガード部４０は前記通路４７に連通するガイド空間５４を備えることにより、前記通路４７を通過した水が前記ガイド空間５４を通じて下方に移動することができる。
【００３３】
前記パッキング部６０は前記ガイド空間５４に収容されて前記通路４７を選択的に密閉する。前記パッキング部６０が前記ガイド空間５４内で上下に移動することによって、前記ガイド空間５４と前記通路４７の媒介部分が密閉または開放できる。
【００３４】
前記フローティングボディー部７０は前記パッキング部６０の下端を上方に支持して、前記パッキング部６０が上下に運動するように補助する。前記フローティングボディー部７０は中空のチャンバー７８を備える。前記チャンバー７８によって、前記フローティングボディー部７０は前記冷水タンク１００に収容された水に対して浮力を発生させることができる。
【００３５】
図２は本発明の要部の分解斜視図である。以下、図２を参照して説明する。
【００３６】
前記トップカバー部３０は前記水容器１０が装着される装着面３４を備えることができる。ところが、前記水容器１０の形状によって、前記装着面３４の下端に位置する他の多様な面が前記装着面３４に代わって、水容器１０を装着させる機能をすることもできる。前記トップカバー部３０の前記連通孔３２は前記冷水タンク１００と連通して、外部空気が前記冷水タンク１００に流入することができるようにする。
【００３７】
前記ウォーターガード部４０は、前記水容器１０の入口に挿入されるウォーターガード４６と前記ウォーターガード４６の下端に位置するウォーターガードクランプ５２とを含む。
【００３８】
前記ウォーターガード４６は前記通路４７に水が流入する貫通孔４８が形成されることにより、前記水容器１０に収容された水を下方に案内することができる。
【００３９】
一方、前記ウォーターガード４６と前記トップカバー部３０の間にはウォーターガードパッキング４２を介設することで、前記ウォーターガード４６と前記トップカバー部３０間の密閉度を向上させることができる。前記ウォーターガードパッキング４２はＯリングの形態を取ることができ、使用者の便宜によって他の形態のパッキングを使うこともできる。
【００４０】
前記ウォーターガードクランプ５２は、その内部に前記パッキング部６０が上下運動することができる程度のサイズを持つ前記ガイド空間５４を持つ。前記ガイド空間５４は略円筒形をなし、前記ガイド空間５４の断面は前記パッキング部６０の断面より大きいか同一であるので、前記ガイド空間５４の内部で前記パッキング部６０が上下に運動することができる。前記ガイド空間５４の形状は図４及び図５により明らかに示されている。
【００４１】
前記ウォーターガード４６と前記ウォーターガードクランプ５２の間にはクランプＯリング５０が介設されることで、前記ウォーターガード４６と前記ウォーターガードクランプ５２間の密閉度を向上させることができる。
【００４２】
前記パッキング部６０は、その内部に一定重量の金属製シャフトを含むことができる。前記シャフトは前記パッキング部６０の内側に位置することができる。前記パッキング部６０は一般的にシリコンなどのゴム類を素材として使用することができるが、他の素材でなることもできる。前記シャフトは前記パッキング部６０の外側からまったく密閉され、一般的に円筒状の形状を持つことができる。前記シャフトは金属（ＳＴＳ）を素材とすることが好ましいが、所定の重量を持つ材質であればいずれも可能である。タンク内の水が一定量排出されてタンクの内部が低水位になる場合には、前記水容器１０の内部が真空状態に変わる。この場合、真空によって前記パッキング部６０が前記通路４７を密閉することもできる。この際、前記シャフトの重量によって真空状態になっても前記パッキング部６０が下方に落下することになり、よって前記通路４７が勝手に密閉されることを防止することができる。
【００４３】
前記パッキング部６０は外周面に凹凸が形成され、該当の凹凸に沿って水が下方に誘導できる。凹凸の形状によって前記ガイド空間５４と前記パッキング部６０間の接触面積が減少し、前記パッキング部６０と前記ガイド空間５４間の摩擦を減少させることも可能である。凹凸は螺旋状を有するインペラー形状に構成されることもでき、六角形などの多角形の形状に構成されることもできる。
【００４４】
前記フローティングボディー部７０は、外観の上側をなすカバー７２と、外観の下側をなす胴体７３とを含む。前記カバー７２は全体的に環状をなすことが可能である。
【００４５】
前記胴体７３の外側面のまわりには前記チャンバー７８が位置することができる。この際、前記チャンバー７８は全体的に環状をなすように配置できる。前記チャンバー７８は空間をなすため、水中で浮力を発生させることができる。
【００４６】
前記胴体７３は、前記ウォーターガードクランプ５２に収容されて前記胴体７３の上下運動をガイドするコア７４と、前記コア７４から放射状に伸びる連結部材７６とを含むことができる。この際、前記チャンバー７８は前記連結部材７６に連結されるので、全体的に前記コア７４、前記連結部材７６及び前記チャンバー７８が互いに連結される。
【００４７】
前記連結部材７６は複数が備えられ、それぞれの前記連結部材７６は互いに交差するように設置されることもできる。前記連結部材７６を複数設置する場合には、前記コア７４と前記チャンバー７８が互いに堅固に結合されることができ、ひいては前記コア７４によってガイドされる上下運動が前記チャンバー７８に容易に伝達され、前記チャンバー７８によって発生する浮力が前記コア７４に容易に伝達され、結果として前記フローティングボディー部７０の上下運動が安定になされることができる。
【００４８】
一方、前記チャンバー７８には前記胴体７３から放射状に伸びるリブ７９が形成されることで、前記チャンバー７８の強度を高めることができる。特に、前記リブ７９は複数備えられ、前記チャンバー７８の骨格の役目をすることができる。
【００４９】
特に、前記パッキング部６０と前記フローティングボディー部７０は別個に分離された部品でなることができる。この場合、前記フローティングボディー部７０は前記パッキング部６０の上下運動を案内することはできるが、前記パッキング部６０と前記フローティングボディー部７０は微細動作を個別に行うことができる。これは、前記パッキング部６０と前記フローティングボディー部７０が別個の部品であるため、前記フローティングボディー部７０の動作が前記パッキング部６０にそのまま伝達されないからである。したがって、取水コックを通じて取水するうち、あるいは本発明を移動するうちに発生し得る前記フローティングボディー部７０の動きによって前記パッキング部６０が勝手に動いて水がタンクに勝手に移動することを防止することができる。
【００５０】
図３はフローティングボディー部の胴体の他の実施例を示す図である。以下、図３を参照して説明する。図３に示す例においては、前記胴体７３の外形は同一であるが、前記チャンバー７８の内部形状に違いがあるので、前記チャンバー７８の内部形状のみについて説明する。
【００５１】
前記リブ７９は前記チャンバー７８を複数に分割してそれぞれを密閉することが可能である。この場合、前記チャンバー７８のいずれか一つにホールが形成され、前記チャンバー７８の空間に水が流入すれば、前記フローティングボディー部７０に適当な浮力が形成しないこともある。この際、前記チャンバー７８が前記リブ７９によって複数に分割されて隔離された場合は、すべてのチャンバー７８に水が流入することを防止することができる。
【００５２】
図４はタンク内の水が低水位の場合を示す断面図である。以下、図４を参照して説明する。
【００５３】
本発明は、前記トップカバー部３０に形成された連通孔３２を選択的に密閉するフローティング部８０をさらに含むことができる。この際、前記フローティング部８０は内部が中空となり浮力によって上下に運動することが可能である。
【００５４】
前記連通孔３２は、本発明が正常に作動する場合、前記冷水タンク１００に水が流入すると、前記冷水タンク１００に収容された空気を外部に排出することができる経路を提供する。
【００５５】
前記フローティング部８０の最下端が位置する高さ（ｈ１）は前記フローティングボディー部７０の移動可能な高さ（ｈ２）より高いことが好ましい。このように設置位置を異にすれば、前記フローティング部８０は、前記フローティングボディー部７０に問題が発生した場合、漏水を防止する役目をすることができる。これは、冷水タンク１００内の水位が上がれば、まず前記フローティングボディー部７０が作動し、それより水位が上昇すれば前記フローティング部８０が動作することができるからである。
【００５６】
一方、前記トップカバー部３０は前記連通孔３２から下方に伸びるガイド部材３６を備え、前記フローティング部８０は前記ガイド部材３６の内側に収容されて上下運動が案内されることができる。前記ガイド部材３６は中空型の円筒状に形成され、前記フローティング部８０の一側を収容することができる。一方、前記ガイド部材３６と前記フローティング部８０の間には、前記連通孔３２の密閉度を向上させることができるパッキング８２が備えられることができる。
【００５７】
前記パッキング部６０は前記フローティングボディー部７０の中央上面に位置するので、前記フローティングボディー部７０が浮力によって上昇する場合は、前記パッキング部６０が上昇して前記通路４７を密閉し、前記フローティングボディー部７０が下降する場合は、前記パッキング部６０が下降して前記通路４７を開放することができる。
【００５８】
以下、本発明の作用過程を図４に基づいて説明する。
【００５９】
前記冷水タンク１００に収容された水が低水位の場合、前記水容器１０に収容された水が前記冷水タンク１００に移動し、前記冷水タンク１００の水位を増加させなければならない。
【００６０】
前記水容器１０は、内部の水が排出されるにつれて外形がしわくちゃになって内部容積が減少する胴部１２を含むことができる。このような水容器はバッグタイプに使われる技術であり、前記胴体１２の容積が減少しても外気が前記水容器１０の内部に流入しないので、前記水容器１０に収容された水に衛生的問題を発生させることを防止することができる。前記胴部１２はしわによって容積が減少するか、あるいは特別の形状変化なしに容積が減少することも可能である。
【００６１】
前記水容器１０に収容された水は前記貫通孔４８を通じて前記通路４７に流入する。前記通路４７を通過した水は前記ガイド空間５４に移動する。この際、前記フローティングボディー部７０が下向きに移動した状態であるため、前記通路４７は前記パッキング部６０によって密閉されない。水は前記パッキング部６０の上面を通過し側面に沿って下向きに移動することができる。
【００６２】
一方、前記パッキング部６０は前記フローティングボディー部７０の前記コア７４の中央部によって上向きに支持されるため、前記フローティングボディー部７０のチャンバー７８によって発生した浮力が容易に伝達されることができ、前記フローティングボディー部７０にローリング（ｒｏｌｌｉｎｇ）などの不要な挙動が発生しても、前記フローティングボディー部７０の挙動によって前記パッキング部６０が勝手に動くことを防止することができる。
【００６３】
水が前記冷水タンク１００に収容される場合、前記冷水タンク１００の容積は一定であるため、その分だけの空気が外部に排出されなければならない。したがって、前記冷水タンク１００の空気は前記連通孔３２を通じて前記トップカバー部３０を経って外部に排出されるので、前記冷水タンク１００に水が円滑に収容できる。前記フローティング部８０には浮力が発生しないため上向きに移動せず、よって前記フローティング部８０の位置はそのまま維持されるので、前記連通孔３２は開放状態を維持することができる。
【００６４】
前記ガイド空間５４を通過した水は前記フローティングボディー部７０を通過して前記冷水タンク１００に最終に移動することができる。前記フローティングボディー部７０の胴体には、水が前記冷水タンク１００に移動することができるように、多様な形状のホールを形成できる。
【００６５】
図５はタンク内の水が中水位の場合を示す断面図である。図５は図４に比べてタンクに貯蔵された水の水位が高い。以下、図５を参照して説明する。
【００６６】
図４に示す状態において、前記冷水タンク１００の水位が高くなれば、図５のように、前記フローティングボディー部７０と水が接触することになる。前記フローティングボディー部７０の前記チャンバー７８は中空になっているため、水位によって浮力を受けて上向きに移動して最終に図５に示す状態まで上昇することになる。
【００６７】
前記チャンバー７８は水の水面と同一面になるため、前記チャンバー７８が上昇すれば、その中央に位置する前記コア７４も上昇しながら前記パッキング部６０を上方に上昇させることになる。前記パッキング部６０は前記コア７４の中央に位置するため、前記フローティングボディー部７０によって発生する上向力を安定に受けることができる。
【００６８】
前記パッキング部６０は前記ガイド空間５４内から上方に移動し、最終に前記パッキング部６０は前記通路４７を密閉する。前記パッキング部６０の上面はシリコン材でなり、前記通路４７の下端を上方に加圧するにつれて所定の大きさに圧縮されることができる。したがって、前記通路４７に位置する水が前記ガイド空間５４に移動しないように十分な密閉力を提供することができる。前記通路４７を密閉する力は水位によって発生した前記チャンバー７８の浮力によるため、前記通路４７は充分に安定に密閉される。
【００６９】
図５においても、図４と同様に、前記フローティング部８０が位置する高さまで水位が上昇せず、前記フローティング部８０は上方に移動しない。すなわち、前記連通孔３２は密閉されないため、前記連通孔３２を通じて、前記冷水タンク１００内の空気を外部に排出できる。
【００７０】
使用者が取水コックを通じて、前記冷水タンク１００に収容された水を外部に排出させる場合、前記冷水タンク１００に収容された水の水位は再び下がる。よって、前記フローティングボディー部７０も下方に移動することになる。
【００７１】
この際、前記パッキング部６０に所定の重量がなければ、前記水容器１０と前記通路４７によって形成された真空状態によって前記通路４７をずっと密閉したままで上側に付着されている可能性がある。したがって、本発明においては、前記パッキング部６０に金属材でなるシャフトを置き、前記パッキング部６０の重量によって真空力を克服して前記フローティングボディー部７０に沿って下方に移動するようにする。
【００７２】
図６はタンク内の水が高水位の場合を示す断面図である。図６は図５に比べてタンク内の水位が上昇した状態を示す。以下、図６を参照して説明する。
【００７３】
図６は前記フローティングボディー部７０で問題が発生して正常に動作しない状態である。前記フローティングボディー部７０が正常に動作した場合は、図５に示す水位で前記水容器１０に収容された水は前記冷水タンク１００にそれ以上移動せずに止めた状態を維持する。一方、前記フローティングボディー部７０が正常に動作しない場合は、前記フローティングボディー部７０の前記チャンバー７８に水が流入して適切な浮力が発生しないため、前記パッキング部６０を上方に移動させることができなかった場合に発生することができる。
【００７４】
図５の状態において、前記冷水タンク１００に続いて水が流入して前記フローティング部８０の最下端の高さ（ｈ１）まで水位が上昇することができる。
【００７５】
水位が（ｈ１）まで上昇する場合は、前記フローティング部８０の内側は中空になっているため、前記フローティング部８０は浮力によって上方に移動する。すると、前記フローティング部８０の前記パッキング８２が前記連通孔３２を密閉することにより、前記冷水タンク１００は外部に空気が排出されない密閉状態を維持する。
【００７６】
前記冷水タンク１００内の空気が外部に排出されないので、前記冷水タンク１００にはそれ以上水が流入することが防止される。前記フローティング部８０の最下端の高さ（ｈ１）は前記フローティングボディー部７０の移動可能な高さ（ｈ２）より高いため、前記フローティングボディー部７０が正常に動作すれば、前記フローティング部８０は動作をしない。ただし、前記フローティングボディー部７０の移動可能な高さ（ｈ２）の高さ以上に水が流入する場合は、前記フローティング部８０によって水位がそれ以上高くなることを防止することができる。
【００７７】
本発明は前述した実施例に限定されず、添付の特許請求範囲から分かるように、本発明が属する分野の通常の知識を持った者によって変形が可能であり、このような変形は本発明の範囲に属するものである。
【産業上の利用可能性】
【００７８】
本発明は、全体積を減らして冷温水器の設置空間に対する制約事項を減らし、バッグタイプ冷温水器においてタンクの内部で水位調節ができるようにして製品の高さを高くする必要がなく、冷温水器の水位調節装置をより安定に具現する冷温水器に適用可能である。
【符号の説明】
【００７９】
１０    水容器
２０    ケース部
３０    トップカバー部
４０    ウォーターガード部
６０    パッキング部
７０    フローティングボディー部
８０    フローティング部
【図１】
0005271339.tif 000002
【図２】
0005271339.tif 000003
【図３】
0005271339.tif 000004
【図４】
0005271339.tif 000005
【図５】
0005271339.tif 000006
【図６】
0005271339.tif 000007